(57)【要約】【課題】本発明は、意匠性が損なわれ難い車両用収納カバーの提供を目的とする。【解決手段】本発明の車両用収納カバーはシート状とされ、うら面を車両の座席を構成する背もたれの背面に向かせて前記背面を覆うように前記座席に取り付けられる本体部と、前記本体部のおもて面に配置され、収納対象を収納する空間を前記本体部とともに形成する収納部であって、前記本体部に貫通孔が形成されかつシート状で前記本体部のおもて面に配置され前記貫通孔を覆う覆い部材を有することを前提として、前記本体部のうら面に配置され、前記本体部のおもて面側から見てティッシュ取出し口が前記貫通孔内に位置するようにティッシュボックスを収納する収納部、及び、前記おもて面から突出して前記本体部との間に前記空間を形成する状態と、前記本体部に重ねられる状態とを切り替え可能な他の収納部の何れか一方又は両方と、を備えている。【選択図】図４Ａ
2019051761.tif 000002
【特許請求の範囲】
【請求項１】
シート状とされ、うら面を車両の座席を構成する背もたれの背面に向かせて前記背面を覆うように前記座席に取り付けられる本体部と、
前記本体部のおもて面に配置され、収納対象を収納する空間を前記本体部とともに形成する収納部であって、前記本体部に貫通孔が形成されかつシート状で前記本体部のおもて面に配置され前記貫通孔を覆う覆い部材を有することを前提として、前記本体部のうら面に配置され、前記本体部のおもて面側から見てティッシュ取出し口が前記貫通孔内に位置するようにティッシュボックスを収納する収納部、及び、前記おもて面から突出して前記本体部との間に前記空間を形成する状態と、前記本体部に重ねられる状態とを切り替え可能な他の収納部の何れか一方又は両方と、
を備えた車両用収納カバー。
【請求項２】
前記収納部を備えていることを前提として、
前記背面には、前記背もたれの前面側に凹む凹みが形成されており、
前記収納部は、前記本体部が前記座席に取り付けられた状態で前記凹みに位置するように配置されている、
請求項１に記載の車両用収納カバー。
【請求項３】
前記収納部を備えていることを前提として、
前記貫通孔は、ティッシュ取出し口に沿う長孔とされ、
前記貫通孔の長手方向の両端の縁は、円弧状に形成されている、
請求項１又は２に記載の車両用収納カバー。
【請求項４】
前記他の収納部を備えていることを前提として、
前記他の収納部は、一端側部分が前記おもて面に固定されている第１矩形壁と、一端側部分が前記おもて面に固定されかつ他端側部分が前記第１矩形壁の他端側部分に固定され、Ｕ字状に折り畳み可能な第２矩形壁とで構成される周壁を有し、
前記周壁は、前記第１矩形壁と前記第２矩形壁とが前記おもて面から突出することで前記本体部との間に前記空間を形成可能とされ、かつ、前記第１矩形壁が、Ｕ字状に折り畳まれた前記第２矩形壁を前記本体部とで挟むことで前記本体部に重なり可能とされている、
請求項１〜３の何れか１項に記載の車両用収納カバー。
【請求項５】
前記第２矩形壁は、複数の位置のそれぞれで屈曲してＪ字状に折り畳み可能とされ、
前記周壁は、前記第２矩形壁が前記複数の位置の何れか１つの位置で屈曲してＪ字状に折り畳まれることで前記空間の大きさを変更可能とされている、
請求項４に記載の車両用収納カバー。
【請求項６】
前記第２矩形壁の前記他端側部分には、雄及び雌の何れか一方の面ファスナーが固定されており、
前記第２矩形壁における前記一端側部分と前記他端側部分との間の複数個所の部分には、それぞれ雄及び雌の何れか他方の面ファスナーが固定されており、
前記第２矩形壁は、前記一方の面ファスナーを前記複数個所の部分の前記他方の面ファスナーの何れか１つに結合可能とされている、
請求項５に記載の車両用収納カバー。
【発明の詳細な説明】
【技術分野】
【０００１】
本発明は、車両用収納カバーに関する。
【背景技術】
【０００２】
前席及び後席を備える自動車等の車両の乗車室において、後席側の収納部を増やして利用者の利便性を高めるために、例えば前席の背面にシートバックストレージ等と呼ばれる収納ポケットを備える収納カバーを取り付けることが知られている。前記収納ポケットは、例えば、スマートフォン、タブレット等を収納するポケット、ペットボトル、飲料缶等を保持するボトルホルダー、ティッシュの取出し口を後席側に向けてティッシュボックスを保持するティッシュボックス保持部等である。
【０００３】
ここで、特許文献１には、その図１等に示されるように、助手席のシートバックに配置されるベースと、ベースにフックで取り付けられる収納体とを有する車両用収納装置（収納カバー）が開示されている。収納体は、フックによりベースの後席に向く面に取り付けられ、収納体の使用の有無（収納体に収納対象を収納しているか否か）に関わらずベースから後席側に突出した箱とされている。また、収納体には、その図４等に示されるように、底壁部に貫通する長穴が形成されている。そして、第１の収納具にはティッシュ取出し口を下方に向けた状態のティッシュが収納されることにより、例えば後席に座る乗員は長穴から下方にはみ出したティッシュを取出し可能となっている。
【先行技術文献】
【特許文献】
【０００４】
【特許文献１】特開２００２−２１１３０１号公報
【発明の概要】
【発明が解決しようとする課題】
【０００５】
特許文献１に開示されている車両用収納装置では、収納体の使用の有無に関わらず収納体が後席に向かって突出しているため、収納体の不使用時であっても収納体により乗員スペースが占有され、意匠性が損なわれる。また、前述のとおり、ティッシュは収納体の底壁部から下方にはみ出して取出し可能とされているため、はみ出したティッシュにより意匠性が損なわれる。
【０００６】
本発明は、意匠性が損なわれ難い車両用収納カバーの提供を目的とする。
【課題を解決するための手段】
【０００７】
本発明の車両用収納カバーは、シート状とされ、うら面を車両の座席を構成する背もたれの背面に向かせて前記背面を覆うように前記座席に取り付けられる本体部と、前記本体部のおもて面に配置され、収納対象を収納する空間を前記本体部とともに形成する収納部であって、前記本体部に貫通孔が形成されかつシート状で前記本体部のおもて面に配置され前記貫通孔を覆う覆い部材を有することを前提として、前記本体部のうら面に配置され、前記本体部のおもて面側から見てティッシュ取出し口が前記貫通孔内に位置するようにティッシュボックスを収納する収納部、及び、前記おもて面から突出して前記本体部との間に前記空間を形成する状態と、前記本体部に重ねられる状態とを切り替え可能な他の収納部の何れか一方又は両方と、を備えている。
【発明の効果】
【０００８】
本発明の車両用収納カバーは、意匠性が損なわれ難い。具体的には、本発明の車両用収納カバーは、少なくとも収納部を備えている場合にはティッシュの非取出し時にティッシュが露出されることによる意匠性が損なわれ難く、少なくとも他の収納部を備えている場合には他の収納部への収納対象の非収納時に乗員スペースを確保し易くしつつ意匠性が損なわれ難い。
【図面の簡単な説明】
【０００９】
【図１】本実施形態の車両用収納カバー（単体）をそのおもて面側から見た図（正面図）である。
【図２】本実施形態の車両用収納カバー（単体）をそのうら面側から見た図（背面図）である。
【図３Ａ】車両の前座席に取り付けられた本実施形態の車両用収納カバーを、その斜め後ろ座席側から見た図（斜視図）である。
【図３Ｂ】車両の前座席に取り付けられた本実施形態の車両用収納カバーを、その後ろ座席側から見た図（正面図）である。
【図３Ｃ】車両の前座席に取り付けられた本実施形態の車両用収納カバーを、他の前座席側から見た図（側面図）である。
【図３Ｄ】車両の前座席に取り付けられた本実施形態の車両用収納カバーを、その後ろ座席側から見た図（正面図）であって、各ポケットにそれぞれ収納対象を収納している状態の一例を示す図である。
【図４Ａ】本実施形態の車両用収納カバーを構成するボトルポケット及びその周辺の斜視図である。
【図４Ｂ】（Ａ）は本実施形態の車両用収納カバーを構成するボトルポケット及びその周辺の斜視図であって収納空間（収納のための空間）が形成されていないボトルポケットの状態を示す斜視図であり、（Ｂ）は本体部のおもて面に沿った方向から見た当該状態の図である。
【図４Ｃ】（Ａ）は本実施形態の車両用収納カバーを構成するボトルポケット及びその周辺の斜視図であって収納空間の大きさが第１サイズとなっているボトルポケットの状態を示す斜視図であり、（Ｂ）は本体部のおもて面に沿った方向から見た当該状態の図である。
【図４Ｄ】（Ａ）は本実施形態の車両用収納カバーを構成するボトルポケット及びその周辺の斜視図であって収納空間の大きさが第２サイズとなっているボトルポケットの状態を示す斜視図であり、（Ｂ）は本体部のおもて面に沿った方向から見た当該状態の図である。
【図５Ａ】本実施形態の車両用収納カバーを構成するティッシュ収納機構及びその周辺の図であって、ティッシュボックスが収納されている状態を示す断面図である。
【図５Ｂ】本実施形態の車両用収納カバーを構成するティッシュ収納機構及びその周辺の図であって、ティッシュが取り出されている状態を示す断面図である。
【発明を実施するための形態】
【００１０】
≪概要≫
以下、本実施形態について説明する。まず本実施形態の車両用収納カバー１０（図１及び図２参照）の機能、構成及び作用について説明し、次いで本実施形態の車両用収納カバー１０の効果について説明する。なお、以下の説明では、車両用収納カバー１０を収納カバー１０とする。
【００１１】
≪車両用収納カバーの機能、構成及び作用≫
本実施形態の収納カバー１０は、一例として、自動車等の車両（図示省略）の前座席Ｓ（図３Ａ〜図３Ｄ参照）を構成する背もたれＳＡを覆うようにして前座席Ｓに取り付けられて、収納対象を収納する機能を有する。ここで、本実施形態では、収納対象の一例は、ボトルＯＡ、タブレットＯＢ、ティッシュボックスＯＣ、小物ケースＯＤ及び書籍ＯＥとされている（図３Ｃ、図３Ｄ等参照）。
また、図３Ｃに示されるように、本実施形態の収納カバー１０が取り付けられる前座席Ｓの背もたれＳＡの背面ＳＡ２には、背面ＳＡ２側から前面ＳＡ１側に向かって凹む凹みＳＡ３が形成されている。
【００１２】
本実施形態の収納カバー１０は、図１及び図２に示されるように、本体部２０と、ボトルポケット３０と、上ポケット４０と、ティッシュ収納機構５０と、一対のサイドポケット６０と、下ポケット７０と、固定ベルト８０とを備えている。ここで、ボトルポケット３０は、他の収納部の一例である。
【００１３】
＜本体部及び固定ベルト＞
本体部２０は、図１及び図２に示されるように、シート状（可撓性を有する板状）とされている。また、本体部２０は、長尺とされ、一端側（上端側）の部分が幅狭とされている。以下の説明では、本体部２０のおもて面を符号２０Ａ、うら面を符号２０Ｂとする。
【００１４】
本体部２０の上端側の部分には、その幅方向の両側に一対の貫通孔２２が形成されている。また、本体部２０における他端側（下端側）の部分のうら面２０Ｂには、固定ベルト８０が取り付けられている（図２、図３Ａ、図３Ｂ等参照）。そして、本体部２０は、一対の貫通孔２２にヘッドレストＨＲに設けられている一対の支柱（図示省略）を挿通させるとともに固定ベルト８０を前座席Ｓのシールド部品ＳＢ（図３Ａ、図３Ｃ等参照）に引っ掛けることで、前座席Ｓに取り付けられるようになっている。ここで、図３Ａ〜図３Ｄは、本体部２０（収納カバー１０）が前座席Ｓに取り付けられている状態を示している。本体部２０は、前座席Ｓに取り付けられている状態では、うら面２０Ｂを背もたれＳＡの背面ＳＡ２に向かせて背面ＳＡ２を覆っている。ここで、図３Ｃに示されるように、本体部２０は、前座席Ｓに取り付けられている状態では、上端側の部分以外の部分（長手方向における中央側の部分及び下端側の部分）が平面状とされている。
【００１５】
また、本体部２０の長手方向の中央かつ短手方向の中央の部分には、当該短手方向に沿う長孔２４（すなわち、当該短手方向を自身の長手方向とする貫通孔）が形成されている（図２、図５Ａ及び図５Ｂ参照）。長孔２４の長手方向の両端の縁は、図２に示されるように、円弧状に形成されている。なお、長孔２４は後述するボックス収納部５２に収納されている状態のティッシュボックスＴＢ（図５Ａ参照）のティッシュ取出し口ＴＢ１（図５Ａ及び図５Ｂ参照）に沿いつつ、長孔２４の全縁は本体部２０のおもて面２０Ａ側から見て当該状態のティッシュボックスＴＢのティッシュ取出し口ＴＢ１を囲むようになっている（図５Ａ及び図５Ｂ参照）。
【００１６】
本実施形態の本体部２０（収納カバー１０）の素材は、一例として、ＰＶＣ（ポリ塩化ビニル）からなる芯材をウレタン合皮のおもて面生地とＰＶＣレザーのうら面生地とで被覆したものとされている。また、本体部２０の外周（外縁）にはステッチ加工が施されており、前座席Ｓや車両の乗員室内を構成する他の内装材との統一感を持たせるように美感が保たれている。なお、収納カバー１０の色は、一例として、黒系とされている。
【００１７】
＜上ポケット、一対のサイドポケット及び下ポケット＞
本体部２０のおもて面２０Ａには、図１、図３Ａ、図３Ｂ、図３Ｄ等に示されるように、複数のポケットが配置されている。
【００１８】
本体部２０の長手方向の中央かつ短手方向の中央には、センターポケット５４（覆い部材の一例）が設けられている。センターポケット５４は本実施形態の要部の１つであるティッシュ収納機構５０の構成要素であることから、その詳細については後述する。
【００１９】
本体部２０におけるセンターポケット５４を挟んで（幅方向の）両側には、それぞれサイドポケット６０がセンターポケット５４に隣接して設けられている。そして、センターポケット５４と、一対のサイドポケット６０とは、図１、図３Ａ、図３Ｂ等に示されるように、本体部２０の長手方向の中央で、短手方向（幅方向）の一端側から他端側に亘って、本体部２０とともに美感を保っている。センターポケット５４及び一対のサイドポケット６０は、それぞれ上端が開口している。ここで、図３Ｄは、一方のサイドポケット６０に小物ケースＯＤが収納されている状態を示している。
【００２０】
本体部２０における、一対の貫通孔２２と、センターポケット５４及び一対のサイドポケット６０との間の部分には、ボトルポケット３０と、上ポケット４０とが設けられている。ボトルポケット３０は本体部２０をおもて面２０Ａ側から見て幅方向の左側の部分に配置され、上ポケット４０はボトルポケット３０に隣接してボトルポケット３０の右側の部分に配置されている。
上ポケット４０は、図１、図３Ａ、図３Ｂ等に示されるように、上端が開口しているポケット本体４２と、上記開口を塞ぐポケット蓋４４とを有している。上ポケット４０は、収納対象の形状、大きさ等によってはポケット本体４２の開口をポケット蓋４４で塞いで当該収納対象を収納可能とされている。ここで、図３Ｄは、ポケット本体４２の開口からタブレットＯＢがはみ出した状態でタブレットＯＢが上ポケット４０に収納されている状態を示している。
なお、ボトルポケット３０は本実施形態の要部の１つであることから、その詳細については後述する。
【００２１】
本体部２０における、センターポケット５４及び一対のサイドポケット６０の下側の部分には、本体部２０の下端側の部分の全体を覆うように下ポケット７０が設けられている。下ポケット７０の上端は、開口している。ここで、図３Ｄは、下ポケット７０の開口から書籍ＯＥがはみ出した状態で書籍ＯＥが下ポケット７０に収納されている状態を示している。
【００２２】
＜ボトルポケット＞
次に、本実施形態の要部であるボトルポケット３０の詳細について説明する。
【００２３】
〔機能及び構成〕
本実施形態のボトルポケット３０は、ボトルＯＡを収納する機能を有する。ボトルポケット３０は、図３Ｄ、図４Ａ、図４Ｂ、図４Ｃ及び図４Ｄに示されるように、第１矩形壁３２Ａと、第２矩形壁３２Ｂとで構成される周壁３２を有している。また、ボトルポケット３０は、周壁３２に繋がっている底壁（図示省略）を有している。
【００２４】
第１矩形壁３２Ａ及び第２矩形壁３２Ｂは、それぞれシート状で矩形とされている。図４Ａ〜図４Ｄに示されるように、第１矩形壁３２Ａの任意の一辺側の部分（一端側部分３２Ａ１）は、本体部２０のおもて面２０Ａにおける上ポケット４０に隣接する部分、すなわち、本体部２０の幅方向中央に固定されている。これに対して、第２矩形壁３２Ｂの任意の一辺側の部分（一端側部分３２Ｂ１）は、本体部２０のおもて面２０Ａにおける幅方向の端部側（上ポケット４０が配置されている側と反対側）に固定されている。また、第２矩形壁３２Ｂにおける一端側部分３２Ｂ１の反対側の部分（他端側部分３２Ｂ２）は、第１矩形壁３２Ａの他端側部分３２Ａ２に固定されている。そして、周壁３２は、図４Ｂ、図４Ｃ及び図４Ｄに示されるように、本体部２０のおもて面２０Ａから突出して本体部２０との間に、ボトルＯＡを配置させる空間を形成するようになっている。
【００２５】
本実施形態では、図４Ａに示されるように、第２矩形壁３２Ｂが第１矩形壁３２Ａに固定されている部分（第１矩形壁３２Ａと第２矩形壁３２Ｂとの重なり部分）を本体部２０のおもて面２０Ａから離れる方向に引っ張ると、周壁３２は上側から見てＹ字を形成するようになっている。すなわち、第１矩形壁３２Ａと第２矩形壁３２Ｂとは、それぞれの内周側の面を重ねて、上記重なり部分を構成している。なお、底壁（図示省略）は、周壁３２が上側から見てＹ字を形成できるよう、シート状であり、自然状態で三角形とされている。
【００２６】
図４Ａに示されるように、周壁３２の外周面における、第２矩形壁３２Ｂの他端側部分３２Ｂ２（第１矩形壁３２Ａとの重なり部分）には、一例として雄の面ファスナー３４が固定されている。また、周壁３２の外周面における、第２矩形壁３２Ｂの一端側部分３２Ｂ１と他端側部分３２Ｂ２（面ファスナー３４が固定されている部分）との間の複数の部分（一例として３箇所の部分）には、それぞれ雌の面ファスナー３６が固定されている。ここで、第２矩形壁３２Ｂの一端側から他端側に亘って並ぶ各面ファスナー３６を、面ファスナー３６Ａ、３６Ｂ、３６Ｃとする。また、本実施形態の説明では面ファスナー３４が雄でかつ各面ファスナー３６が雌であるとしたが、面ファスナー３４を雌でかつ各面ファスナー３６が雄としてもよい。
【００２７】
〔作用〕
次に、本実施形態のボトルポケット３０の作用について主に図４Ｂ〜図４Ｄを参照しつつ説明する。
【００２８】
（ボトルの非収納時）
ボトルポケット３０（周壁３２）は、ボトルＯＡの非収納時には、図３Ａ〜図３Ｃ及び図４Ａに示されるように、本体部２０のおもて面２０Ａに沿った状態でおもて面２０Ａに重ねられる。具体的には、第２矩形壁３２Ｂはその外周面を凹ませるように屈曲してＵ字状に折り畳まれ、かつ、第１矩形壁３２ＡはＵ字状に折り畳まれた第２矩形壁３２Ｂを本体部２０とで挟みながら本体部２０に重ねられる。この場合、図４Ｂに示されるように、面ファスナー３４は、面ファスナー３６Ａに結合される。なお、本実施形態においてボトルＯＡの非収納時に周壁３２が本体部２０のおもて面２０Ａに沿った状態で本体部２０に重ねられる（重ねられている）状態を非収納時状態という。
【００２９】
（ボトルの収納時）
ボトルポケット３０（又は第１矩形壁３２Ａ及び第２矩形壁３２Ｂ）は、ボトルＯＡの収納時には、図３Ｄ、図４Ｃ及び図４Ｄに示されるように、本体部２０のおもて面２０Ａから突出した状態で本体部２０との間にボトルＯＡを収納する空間を形成する。具体的には、第２矩形壁３２Ｂは、面ファスナー３４が面ファスナー３６Ｂ及び面ファスナー３６Ｃの何れか一方に結合されてＪ字状に折り畳まれる。そして、周壁３２は（第１矩形壁３２Ａと第２矩形壁３２Ｂとは）、Ｊ字状に折り畳まれた第２矩形壁３２Ｂの折り畳み部分（重なり部分）を第１矩形壁３２Ａに重ねた状態で、本体部２０との間にボトルＯＡを配置させる空間を形成する（図４Ｃ及び図４Ｄ参照）。なお、本実施形態においてボトルＯＡの収納時に周壁３２が本体部２０のおもて面２０Ａから突出して本体部２０との間にボトルＯＡを収納する空間を形成している状態を収納時状態という。
【００３０】
ここで、前述のとおり、第２矩形壁３２Ｂは面ファスナー３４が面ファスナー３６Ｂ及び面ファスナー３６Ｃの何れか一方に結合されるようにＪ字状に折り畳まれることから、第２矩形壁３２Ｂは複数の位置の何れか１つの位置で屈曲してＪ字状に折り畳み可能とされている。これに伴い、周壁３２は（第１矩形壁３２Ａと第２矩形壁３２Ｂとは）、本体部２０との間にボトルＯＡを配置させるための空間の大きさ（容積）を変更可能とされている。例えば、図４Ｃのように面ファスナー３４が面ファスナー３６Ｂに結合される場合、ボトルポケット３０により標準サイズ（第１サイズ）のボトルＯＡを収納する空間が形成される。これに対して、図４Ｄのように面ファスナー３４が面ファスナー３６Ｃに結合される場合、ボトルポケット３０により標準サイズよりも大きい第２サイズのボトルＯＡを配置可能な空間が形成される。
【００３１】
以上のとおりであるから、本実施形態のボトルポケット３０は、収納時状態と、非収納時状態とを切り替え可能とされている。
【００３２】
＜ティッシュ収納機構＞
次に、本実施形態のもう１つの要部であるティッシュ収納機構５０の詳細について説明する。
【００３３】
〔機能及び構成〕
本実施形態のティッシュ収納機構５０は、ティッシュＴＰが取出し可能な状態でティッシュボックスＴＢを収納しつつ、ティッシュ取出し口ＴＢ１からはみ出したティッシュＴＰを露出させない（隠す）機能を有する（図５Ａ及び図５Ｂ参照）。ティッシュ収納機構５０は、図３Ｃ、図５Ａ及び図５Ｂに示されるように、ボックス収納部５２と、前述のセンターポケット５４とで構成されている。ここで、ボックス収納部５２は、収納部の一例である。
【００３４】
ボックス収納部５２は、図３Ｃ、図５Ａ及び図５Ｂに示されるように、本体部２０のうら面２０Ｂに配置されて、ティッシュボックスＴＢの長手方向を本体部２０の幅方向に沿わせた状態で収納するようになっている。ボックス収納部５２は、図２に示されるように、本体部２０をうら面２０Ｂ側から見て本体部２０に形成されている長孔２４に重なる位置に配置されている。具体的には、ボックス収納部５２は、図５Ａ及び図５Ｂに示されるように、本体部２０のおもて面２０Ａ側から見てティッシュ取出し口ＴＢ１が長孔２４内に位置するようにティッシュボックスＴＢを保持するようになっている。
【００３５】
また、ボックス収納部５２は、図３Ｃに示されるように、本体部２０が前座席Ｓに取り付けられた状態で、前座席Ｓの背もたれＳＡの凹みＳＡ３に位置するようになっている。そして、本実施形態では、図３Ａ及び図３Ｃに示されるように、本体部２０のうら面２０Ｂにボックス収納部５２が固定されているにも関わらず、前座席Ｓに取り付けられている本体部２０は、その長手方向における中央側の部分及び下端側の部分が平面状になっている。
【００３６】
センターポケット５４の基本的な構成等は前述のとおりであるが、ここではセンターポケット５４におけるボックス収納部５２と長孔２４との関係について説明する。
センターポケット５４は、本体部２０を挟んでボックス収納部５２の反対側に配置されている（図３Ｃ、図５Ａ及び図５Ｂ参照）。また、センターポケット５４は、本体部２０のおもて面２０Ａ側から長孔２４を覆っている（図１、図３Ａ〜図３Ｃ、図５Ａ及び図５Ｂ参照）。そして、センターポケット５４は、ティッシュＴＰ（図５Ａ及び図５Ｂ参照）の取出し時以外において、ボックス収納部５２に収納されているティッシュボックスＴＢのティッシュ取出し口ＴＢ１からはみ出た状態のティッシュＴＰを露出させないようになっている。別の見方をすると、センターポケット５４は、ティッシュＴＰの取出し時以外において、ティッシュ取出し口ＴＢ１から本体部２０のおもて面２０Ａ側にはみ出たティッシュＴＰを隠すようになっている。
【００３７】
〔作用〕
ティッシュ収納機構５０に収納されているティッシュボックスＴＢのティッシュＴＰを取り出す者は、センターポケット５４の上端の開口から手を入れて長孔２４からはみ出たティッシュＴＰを引っ張って取り出す（図５Ｂ参照）。当該取り出されたティッシュＴＰが引っ張られることに伴い新たに長孔２４からはみ出す別のティッシュＴＰは、センターポケット５４により露出されない（図３Ｄ及び図５Ａ参照）。
【００３８】
以上が、本実施形態の収納カバー１０の機能、構成及び作用についての説明である。
【００３９】
≪効果≫
次に、本実施形態の収納カバー１０の効果（後述する第１〜第９の効果）について図面を参照しつつ説明する。
【００４０】
＜第１の効果＞
本実施形態のボトルポケット３０は、ボトルＯＡの収納時に、本体部２０のおもて面２０Ａから突出した状態で本体部２０との間にボトルＯＡを収納する空間を形成する（図３Ｄ、図４Ｃ及び図４Ｄ参照）。また、本実施形態のボトルポケット３０は、ボトルＯＡの非収納時に、おもて面２０Ａに沿った状態で本体部２０に重ねられる（図３Ａ〜図３Ｃ及び図４Ｂ参照）。別言すると、本実施形態のボトルポケット３０は、収納時状態と、非収納時状態とを切り替え可能とされている。そして、本実施形態のボトルポケット３０は、非収納時に、コンパクトに畳まれる。
したがって、本実施形態の収納カバー１０は、本実施形態のボトルポケット３０を備えることにより、ボトルＯＡの非収納時に、ボトルポケット３０による乗員スペースを確保し易くしつつボトルポケット３０と本体部２０との意匠性が損なわれ難い。
【００４１】
＜第２の効果＞
本実施形態のボトルポケット３０は、第１矩形壁３２Ａと、第２矩形壁３２Ｂとを含んで構成される周壁３２を有している（図４Ａ〜図４Ｄ参照）。ここで、第２矩形壁３２Ｂは、Ｕ字状に折り畳み可能とされている（図４Ｂ参照）。そして、周壁３２は、収納時状態において、第１矩形壁３２Ａと第２矩形壁３２Ｂとが本体部２０のおもて面２０Ａから突出することで本体部２０との間にボトルＯＡを収納する空間を形成可能とされている（図３Ｄ、図４Ｃ及び図４Ｄ参照）。また、周壁３２は、非収納時状態において、第１矩形壁３２ＡがＵ字状に折り畳まれた第２矩形壁３２Ｂを本体部２０とで挟むことで本体部２０に重なり可能とされている（図１、図３Ａ〜図３Ｃ及び図４Ｂ参照）。
したがって、本実施形態のボトルポケット３０は、簡単な構成により、非収納時にコンパクトに畳まれることを実現することができる。
【００４２】
＜第３の効果＞
本実施形態の第２矩形壁３２Ｂは、複数の位置（面ファスナー３６Ｂ及び面ファスナー３６Ｃの位置）で屈曲してＪ字状に折り畳み可能とされている（図４Ａ、図４Ｃ及び図４Ｄ参照）。そして、周壁３２は、第２矩形壁３２Ｂが複数の位置（面ファスナー３６Ｂ及び面ファスナー３６Ｃの位置）の何れか１つの位置で屈曲してＪ字状に折り畳まれることでボトルＯＡを収納する空間の大きさを変更可能とされている、すなわち、本実施形態のボトルポケット３０は、ボトルＯＡを収納する空間の大きさをボトルＯＡの形状等により変更可能とされている。
したがって、本実施形態の収納カバー１０は、ボトルＯＡの形状等に対応した収納安定性を有する。例えば、本実施形態のボトルポケット３０は、比較的細いボトルＯＡを収納する場合に余計なぶかつきが無い状態でボトルＯＡを安定して収納でき、比較的太いボトルＯＡ（一例としてウェットティッシュボトル（図示省略））等も安定して収納することができる。
【００４３】
＜第４の効果＞
本実施形態のボトルポケット３０は、周壁３２の外周面における、第２矩形壁３２Ｂの第１矩形壁３２Ａとの重なり部分には、雄及び雌の一方の面ファスナー３４が固定されている（図４Ａ参照）。また、第２矩形壁３２Ｂの外周面における本体部２０に固定されている部分と上記重なり部分との間の複数の部分には、それぞれ、雄及び雌の他方の面ファスナー３６Ａ、３６Ｂ、３６Ｃが固定されている（図４Ａ参照）。そして、第１矩形壁３２Ａ及び第２矩形壁３２Ｂは、ボトルＯＡの非収納時には面ファスナー３６を面ファスナー３６Ａに結合させてコンパクトに折り畳まれる（図１、図３Ａ〜図３Ｃ及び図４Ｂ参照）。また、第１矩形壁３２Ａ及び第２矩形壁３２Ｂは、ボトルＯＡの収納時にはボトルＯＡの形状等に応じて面ファスナー３４を面ファスナー３６Ｂ及び面ファスナー３６Ｃの何れか１つに結合させてボトルＯＡを収納する空間の大きさを変更する。
したがって、本実施形態の収納カバー１０は、簡単な構成により、前述の第３の効果を奏することができる。
【００４４】
＜第５の効果＞
本実施形態の本体部２０には、ティッシュＴＰが通過するための長孔２４が形成されている（図２、図５Ａ及び図５Ｂ参照）。また、本実施形態の収納カバー１０は、本体部２０のうら面２０Ｂに配置されティッシュ取出し口ＴＢ１が長孔２４内に位置するようにティッシュボックスＴＢを収納するボックス収納部５２と、本体部２０を挟んでボックス収納部５２の反対側に配置され長孔２４を覆うセンターポケット５４とを備えている（図２、図３Ｃ、図５Ａ及び図５Ｂ参照）。
そして、センターポケット５４は、ティッシュＴＰの取出し時以外において、ボックス収納部５２に収納されているティッシュボックスＴＢのティッシュ取出し口ＴＢ１からはみ出たティッシュＴＰを露出させない（ティッシュ取出し口ＴＢ１からはみ出たティッシュＴＰを隠す）。
したがって、本実施形態の収納カバー１０は、本実施形態のティッシュ収納機構５０を備えることにより、ティッシュＴＰの非取出し時にティッシュＴＰが露出されることによるティッシュ収納機構５０と本体部２０との意匠性が損なわれ難い。別の見方をすると、本実施形態の収納カバー１０は、ティッシュＴＰの非取出し時にティッシュ取出し口ＴＢ１からはみ出たティッシュＴＰを隠すことにより、ティッシュＴＰに特有の生活感を排除することができる。
また、本実施形態のセンターポケット５４は、収納対象を収納するポケットとしての機能と、非取出し時にティッシュ取出し口ＴＢ１からはみ出たティッシュＴＰを隠す機能（ティッシュ収納機構５０の一構成要素としての機能）とを有する。特に、本実施形態のセンターポケット５４は、一対のサイドポケット６０に挟まれて並べられていることから、一見して高い意匠性を有するポケットとしての心象を与え得る点で、優れた多機能ポケットといえる。
【００４５】
＜第６の効果＞
なお、本実施形態の収納カバー１０は、背もたれＳＡに凹みＳＡ３が形成されている前座席Ｓに取り付けられ、ボックス収納部５２が凹みＳＡ３内に位置するように（本実施形態の場合にはボックス収納部５２全体が凹みＳＡ３内に配置されるように）構成されている（図３Ｃ参照）。そして、本実施形態の収納カバー１０は、本体部２０のうら面２０Ｂにボックス収納部５２が固定されているにも関わらず、その長手方向における中央側の部分及び下端側の部分を平面状にして前座席Ｓに取り付けられている（図３Ａ及び図３Ｃ参照）。
以上より、本実施形態の収納カバー１０は、ボックス収納部５２が背もたれＳＡの凹みＳＡ３内に位置するように構成されていることから、スペースが有効活用されているといえる。また、本実施形態の収納カバー１０は、ボックス収納部５２が背もたれＳＡの凹みＳＡ３内に位置するように構成されていることにより、後ろ座席に座る乗員の足元のクリアランスをすっきりさせた意匠性を有するといえる。
【００４６】
＜第７の効果＞
本実施形態の本体部２０に形成されているティッシュＴＰが通過するための長孔２４は、その長手方向の両端の縁が円弧状に形成されている（図２参照）。すなわち、本実施形態の場合、ティッシュＴＰを通過させるために本体部２０に形成されている貫通孔の縁に角となる部分がない。
したがって、本実施形態の収納カバー１０によれば、上記構成により、ティッシュＴＰの取出し時（引っ張り時）にティッシュＴＰの長孔２４への接触に伴うティッシュＴＰの千切れが軽減される。これに伴い、本実施形態の収納カバー１０によれば、ティッシュ収納機構５０内（センターポケット５４内）に千切れされたティッシュＴＰの紙粉が蓄積し難い。
【００４７】
＜第８の効果＞
また、本実施形態の収納カバー１０は、前述した第１〜第４の効果を奏するボトルポケット３０と、前述した第５〜第７の効果を奏するティッシュ収納機構５０とを備えている。そして、ボトルポケット３０を構成し後ろ座席側に露出される周壁３２及びティッシュ収納機構５０を構成し後ろ座席側に露出されるセンターポケット５４は、本体部２０と同じ素材で同じ色とされている。
したがって、本実施形態の収納カバー１０は、上記構成により、第１〜４第の効果とともに第５〜第７の効果を奏する。
【００４８】
＜第９の効果＞
また、本実施形態では、本体部２０を前座席Ｓに取り付ける際に使用される固定ベルト８０は、本体部２０のうら面２０Ｂに取り付けられている。
したがって、本実施形態の収納カバー１０は、固定ベルト８０における本体部２０への取り付け部分（取り付け部品）がおもて面２０Ａで固定されていることにより意匠性が損なわれない。
【００４９】
以上が、本実施形態の収納カバー１０の効果についての説明である。
【００５０】
以上のとおり、本発明について前述の実施形態を例として説明したが、本発明の技術的範囲に含まれる形態は前述の実施形態に限定されるものではない。例えば、本発明の技術的範囲には、下記のような形態（変形例）も含まれる。
【００５１】
例えば、本実施形態の説明では、収納対象の一例がボトルＯＡ、タブレットＯＢ、ティッシュボックスＯＣ、小物ケースＯＤ及び書籍ＯＥとされているとした（図３Ｄ参照）。しかしながら、各収納対象の一例は、それぞれ上記以外であってもよい。例えば、ボトルポケット３０にはボトルＯＡが収納可能としたが、ボトルポケット３０に例えば箱等のボトル形状以外の形状の収納対象を収納してもよい。すなわち、ボトルポケット３０は、その名称にボトルを含んでいるが、一例としてボトル状の収納対象を収納可能であるという意味に過ぎない。
【００５２】
また、本実施形態の説明では、一例として、ボトルポケット３０、上ポケット４０、センターポケット５４、一対のサイドポケット６０及び下ポケット７０で構成される複数のポケットを備えているとした。しかしながら、本発明の技術的範囲に含まれるためには、収納カバー１０が少なくともボトルポケット３０及びティッシュ収納機構５０を構成するセンターポケット５４の何れか１つを備えていればよい。例えば、上ポケット４０及び一対のサイドポケット６０の何れか１つ以上がなくてもよい。
【００５３】
また、本実施形態の説明では、収納カバー１０が取り付けられる前座席Ｓには、ボックス収納部５２が配置される凹みＳＡ３が形成されているとした。しかしながら、本発明の技術的範囲に含まれる収納カバー１０が取り付けられる座席にはボックス収納部５２が配置される凹みＳＡ３が形成されていなくてもよい。この場合であっても、本実施形態の収納カバー１０は、前述の第６の効果以外の効果を奏する。
また、本実施形態の場合、ボックス収納部５２全体が凹みＳＡ３内に配置されるとしたが、前座席Ｓの凹みＳＡ３の形状等によってはボックス収納部５２の一部が凹みＳＡ３からはみ出す場合もあり得る。この場合であっても、本変形例は、前述の第６の効果以外の効果を奏することから、本発明の技術的範囲に含まれる。
【００５４】
また、本実施形態の説明では、ボトルポケット３０の周壁３２は、面ファスナー３４を、３つの面ファスナー３６Ａ、３６Ｂ、３６Ｃの何れか１つに連結させるとして説明した。しかしながら、面ファスナー３４と連結される面ファスナーは３つでなくてもよい。例えば、面ファスナー３６Ａのみでもよい。この変形例の場合、上記空間の大きさを調整することはできないが、ボトルＯＡの非収納時に周壁３２をコンパクトに本体部２０に重なることができる。別言すれば、この変形例の場合、少なくとも前述した第１の効果を奏するといえる。また、例えば、面ファスナー３４が連結される面ファスナーは４つ以上であってもよい。この変形例の場合、本実施形態の場合に比べて、さらに上記空間の大きさを微調整することができる点で有効である。
【００５５】
また、本実施形態の説明では、ティッシュＴＰが通過する長孔２４を覆う覆い部材の一例がセンターポケット５４であるとした。すなわち、本実施形態の説明では、センターポケット５４は、ティッシュ収納機構５０の一構成要素としてティッシュＴＰの露出を防ぐ機能と、収納対象を収納するための機能とを有するとした。しかしながら、センターポケット５４は少なくともティッシュ収納機構５０の一構成要素としてティッシュＴＰの露出を防ぐ機能を有していればよい。すなわち、センターポケット５４は、収納対象を収納するための機能を有していなくてもよい。
【００５６】
また、本実施形態の説明では、センターポケット５４の収納対象について特に具体例を例示しなかったが、センターポケット５４の収納対象を例えばボトルＯＡとしてもよい。すなわち、センターポケット５４をボトルポケットとしてもよい。
【００５７】
また、本実施形態の説明では、ボトルポケット３０の周壁３２は、面ファスナー３４を、３つの面ファスナー３６Ａ、３６Ｂ、３６Ｃの何れか１つに連結させるとして説明した。しかしながら、第２矩形壁３２Ｂの重なり部分の幅を調整する（上記空間の大きさを変更する）ことができれば、面ファスナー方式に換えて、ボタン方式、フック方式その他の固定方式としてもよい。
【００５８】
また、本実施形態の説明では、収納カバー１０の色は、一例として黒系であるとしたが、取り付けられる座席の色により異なる色としてもよい。また、意匠性を発揮することができれば、単色でなくてもよい。
【００５９】
本実施形態の説明では、他の収納部の一例をボトルポケット３０とし、収納部の一例をボックス収納部５２としたが、本願の明細書及び図面には下記の〔付記１〕〜〔付記４〕に記載された発明が含まれる。なお、下記の〔付記１〕〜〔付記４〕は、本実施形態で説明したティッシュ収納機構５０と、ボトルポケット３０との各特徴を含む発明である。
＝＝＝＝＝＝＝＝＝＝＝＝＝＝＝＝＝＝＝＝＝＝＝＝＝＝＝＝＝＝＝＝＝＝＝＝＝＝
〔付記１〕
シート状とされ、貫通孔が形成され、うら面を車両の座席を構成する背もたれの背面に向かせて前記背面を覆うように前記座席に取り付けられる本体部と、
前記本体部のうら面に配置され、前記本体部のおもて面側ティッシュ取出し口が前記貫通孔内に位置するようにティッシュボックスを収納する収納部と、
シート状で前記本体部を挟んで前記収納部の反対側に配置され、前記貫通孔を覆う覆い部材と、
前記本体部のおもて面に配置され、収納対象を収納する空間を前記本体部とともに形成する他の収納部であって、前記おもて面から突出して前記本体部との間に前記空間を形成する状態と、前記本体部に重ねられる状態とを切り替え可能な他の収納部と、
を備えた車両用収納カバー。
〔付記２〕
前記他の収納部は、一端側部分が前記おもて面に固定されている第１矩形壁と、一端側部分が前記おもて面に固定されかつ他端側部分が前記第１矩形壁の他端側部分に固定され、Ｕ字状に折り畳み可能な第２矩形壁とで構成される周壁を有し、
前記周壁は、前記第１矩形壁と前記第２矩形壁とが前記おもて面から突出することで前記本体部との間に前記空間を形成可能とされ、かつ、前記第１矩形壁が、Ｕ字状に折り畳まれた前記第２矩形壁を前記本体部とで挟むことで前記本体部に重なり可能とされている、
前記付記１に記載の車両用収納カバー。
〔付記３〕
前記第２矩形壁は、複数の位置のそれぞれで屈曲してＪ字状に折り畳み可能とされ、
前記周壁は、前記第２矩形壁が前記複数の位置の何れか１つの位置で屈曲してＪ字状に折り畳まれることで前記空間の大きさを変更可能とされている、
前記付記２に記載の車両用収納カバー。
〔付記４〕
前記第２矩形壁の前記他端側部分には、雄及び雌の何れか一方の面ファスナーが固定されており、
前記第２矩形壁における前記一端側部分と前記他端側部分との間の複数個所の部分には、それぞれ雄及び雌の何れか他方の面ファスナーが固定されており、
前記第２矩形壁は、前記一方の面ファスナーを前記複数個所の部分の前記他方の面ファスナーの何れか１つに結合可能とされている、
前記付記４に記載の車両用収納カバー。
＝＝＝＝＝＝＝＝＝＝＝＝＝＝＝＝＝＝＝＝＝＝＝＝＝＝＝＝＝＝＝＝＝＝＝＝＝＝
【符号の説明】
【００６０】
１０          車両用収納カバー
２０          本体部
２０Ａ        おもて面
２０Ｂ        うら面
２２          一対の貫通孔
２４          長孔（貫通孔の一例）
３０          ボトルポケット（他の収納部の一例）
３２          周壁
３２Ａ        第１矩形壁
３２Ａ１      一端側端部
３２Ａ２      他端側端部
３２Ｂ        第２矩形壁
３２Ｂ１      一端側端部
３２Ｂ２      他端側端部
３４          面ファスナー
３６Ａ        面ファスナー
３６Ｂ        面ファスナー
３６Ｃ        面ファスナー
４０          上ポケット
４２          ポケット本体
４４          ポケット蓋
５０          ティッシュ収納機構
５２          ボックス収納部（収納部の一例）
５４          センターポケット（覆い部材の一例）
６０          一対のサイドポケット
７０          下ポケット
８０          固定ベルト
ＨＲ          ヘッドレスト
ＯＡ          ボトル（収納対象の一例）
ＯＢ          タブレット（収納対象の一例）
ＯＣ          ティッシュボックス
ＯＤ          小物ケース（収納対象の一例）
ＯＥ          書籍（収納対象の一例）
Ｓ            前座席（又は座席）
ＳＡ１        前面
ＳＡ２        背面
ＳＢ          シールド部品 
ＴＢ          ティッシュボックス
ＴＰ          ティッシュ
【図１】
2019051761.tif 000003
【図２】
2019051761.tif 000004
【図３Ａ】
2019051761.tif 000005
【図３Ｂ】
2019051761.tif 000006
【図３Ｃ】
2019051761.tif 000007
【図３Ｄ】
2019051761.tif 000008
【図４Ａ】
2019051761.tif 000009
【図４Ｂ】
2019051761.tif 000010
【図４Ｃ】
2019051761.tif 000011
【図４Ｄ】
2019051761.tif 000012
【図５Ａ】
2019051761.tif 000013
【図５Ｂ】
2019051761.tif 000014